(57)【要約】【課題】リヤディスチャージ仕様とマルチング仕様のいずれでも対応を可能とする芝刈装置のモアデッキを提供する。【解決手段】芝刈装置のモアデッキ３は、芝刈用の左右２つの回転ブレード２が相互干渉範囲で対向回転する回転域の上方を画成するシーリング部５および同回転域の外周を画成する周壁部６を一体に形成し、その左右の各回転域から合流位置まで刈取片を案内する左右の導入ガイド体７と、その合流位置から周壁部６の背面位置に高位開口する送出口８まで刈取片を案内するリヤディスチャージ用の送出ガイド体９とを連通形成して構成され、上記導入ガイド体７および送出ガイド体９には、回転域の上方をシーリング部５と共通高さに画成するフラットシーリング板１１と、回転域の外周を画成して送出口８を閉鎖する送出口周壁板１２とからなるアタッチメント部材４を設けたものである。【選択図】図１
2010252741.tif 000002
【特許請求の範囲】
【請求項１】
芝刈用の左右２つの回転ブレード（２）が相互干渉範囲で対向回転する回転域の上方を画成するシーリング部（５）および同回転域の外周を画成する周壁部（６）を一体に形成し、その左右の各回転域からシーリング部（５）を越えて合流位置まで刈取片を案内する左右の導入ガイド体（７）と、その合流位置から周壁部（６）の背面位置に高位開口する送出口（８）まで刈取片を案内するリヤディスチャージ用の送出ガイド体（９）とを連通形成した芝刈装置のモアデッキにおいて、
上記導入ガイド体（７）および送出ガイド体（９）には、回転域の上方をシーリング部（５）と共通高さに画成するフラットシーリング板（１１）と、回転域の外周を画成して送出口（８）を閉鎖する送出口周壁板（１２）とからなるアタッチメント部材（４）を設けたことを特徴とする芝刈装置のモアデッキ。
【請求項２】
前記アタッチメント部材（４）は、シーリング部（５）および周壁部（６）との接続部（１３，１４，１５）を締結具により着脱可能に接続固定したことを特徴とする請求項１記載の芝刈装置のモアデッキ。
【発明の詳細な説明】
【技術分野】
【０００１】
本発明は、幅広い芝刈り全幅を高速かつ一様に刈取り可能な高性能リヤディスチャージ用の芝刈装置の左右２つの回転ブレードを覆うモアデッキに関するものである。
【背景技術】
【０００２】
芝地走行可能な機体のホイールベース間に吊り下げるように搭載されて芝刈りし、集草装置である機体後部のコレクタに刈取片を集積するように後部排出するリヤディスチャージ仕様の芝刈装置であって刈取片をそのまま落下堆積するマルチング仕様に転用可能に構成したものが知られている。
【０００３】
例えば、特許文献１の芝刈装置の例では、芝刈用の左右２つの回転ブレードが相互干渉範囲で対向回転して幅広い芝刈り全幅の一様な刈取りを可能とし、その回転ブレードを覆うように両回転域の上方を画成するシーリング部および同回転域の外周を画成する周壁部を一体に形成し、その両回転域の合流位置からシーリング部を越えて周壁部の背面位置に高位開口する送出口まで刈取片を案内するリヤディスチャージ用の送出ガイド体を形成したモアデッキを備える。
【０００４】
その送出ガイド体は、両回転域の合流位置から背面部の送出口まで刈取片を案内することにより、リヤディスチャージ用の集積部に刈取片を効率よく送り出すことができ、また、上記送出ガイド体を閉じるようにカバー部材を取付けてマルチング仕様に切替えることにより、刈取片を芝刈り幅内にそのまま落下堆積させることができる。
【先行技術文献】
【特許文献】
【０００５】
【特許文献１】特開２００５−３１２３１４号公報
【発明の概要】
【発明が解決しようとする課題】
【０００６】
しかしながら、高速刈取を可能とする高性能芝刈装置の場合は、送出ガイド体が中央の合流部のみならず、両回転域にまで及ぶ左右の導入ガイド体を備えることから、上記カバー部材を用いてマルチング仕様に切替えても導入ガイド体による窪みが残ることとなり、この窪みに刈取片が集積されて団塊状に落下することにより、刈取片の一様な分散落下が困難となるという問題が発生する。
したがって、導入ガイド体を備える高性能芝刈装置については、リヤディスチャージ仕様に比較して市場における需要が限定的なマルチング仕様に対応するために、仕様別の大型部材の在庫と個別管理によってコスト高を招くという問題を内包していた。
【０００７】
本発明の目的は、リヤディスチャージ仕様とマルチング仕様のいずれでも対応を可能とする高性能芝刈装置のモアデッキを提供することにある。
【課題を解決するための手段】
【０００８】
請求項１に係る発明は、芝刈用の左右２つの回転ブレードが相互干渉範囲で対向回転する回転域の上方を画成するシーリング部および同回転域の外周を画成する周壁部を一体に形成し、その左右の回転域から刈取片を合流位置まで案内する左右の導入ガイド体と、その合流位置から周壁部の背面位置に高位開口する送出口まで刈取片を案内するリヤディスチャージ用の送出ガイド体とを連通形成した芝刈装置のモアデッキにおいて、上記導入ガイド体および送出ガイド体には、回転域の上方をシーリング部と共通高さに画成するフラットシーリング板と、回転域の外周を画成して送出口を閉鎖する送出口周壁板とからなるアタッチメント部材を設けたことを特徴とする。
【０００９】
上記左右の導入ガイド体により左右２つの回転ブレードが刈取った刈取片を各回転域から合流位置まで案内し、次いで、送出ガイド体が周壁部の背面位置に高位開口する送出口まで案内することから、リヤディスチャージ用の集積部に刈取片を効率よく送り出し、一方、フラットシーリング板と送出口周壁板とを設けることにより、両回転域の上方および外周が画成されることから、各回転域で刈取片がそのまま落下するので、マルチングモアとして、シーリング部の窪みに刈取片が集積されることによる集中落下を招くことなく、刈り残しの無い芝刈り全幅に刈取片が均一堆積される。
【００１０】
請求項２に係る発明は、請求項１の構成において、前記アタッチメント部材は、シーリング部および周壁部との接続部を締結具により着脱可能に接続固定したことを特徴とする。
アタッチメント部材は、締結具で着脱可能なので、リヤディスチャージ仕様とマルチング仕様を簡易に切替え変更することができる。
【発明の効果】
【００１１】
請求項１のモアデッキは、高性能リヤディスチャージ仕様のモアデッキにフラットシーリング板と送出口周壁板とからなるアタッチメント部材を設けることにより、各回転域で刈取片がそのまま落下するように両回転域の上方および外周が画成されることから、刈取片の部分的な集積による集中落下を招くことなく、刈り残しの無い芝刈り全幅に刈取片が均一堆積される高性能マルチングモアとして機能することから、フラットシーリング板と送出口周壁板とによる簡易なアタッチメント部材により、複数仕様の大型部材の生産に必要な大きな在庫コストを圧縮しつつ、両仕様の生産に対応することができる。
【００１２】
請求項２のモアデッキは、請求項１の効果に加え、アタッチメント部材が締結具で着脱可能なので、リヤディスチャージ仕様とマルチング仕様を簡易に切替え変更することができる。
【図面の簡単な説明】
【００１３】
【図１】本発明のミッドモア装置の平面図
【図２】モアデッキの天地逆転による分解斜視図
【図３】アタッチメント部材の平面図（ａ）と側面図（ｂ）
【図４】右の回転ブレードの平面図（ａ）、側面図（ｂ）および、Ｓ１−Ｓ１線断面図（ｃ）
【図５】ミッドモア装置の伝動系の正面図
【図６】排出ダクトの側面図
【図７】コレクタの内部透視表示による分解斜視図
【図８】図７のコレクタの内部透視表示による装着状態の斜視図
【図９】コンテナ展開上昇動作の側面図
【図１０】別の構成例のコンテナの内部透視表示による分解斜視図
【図１１】トラクタにミッドモアを装着した芝刈機の側面図
【図１２】芝刈装置の斜視図
【発明を実施するための形態】
【００１４】
上記技術思想に基づいて具体的に構成された実施の形態について以下に図面を参照しつつ説明する。
本発明の芝刈装置の一例であるミッドモーア１をトラクタに装着した芝刈機は、図１１の側面図に示すように、車体１０２の腹部に装着したミッドモーアの形態とし、車体１０２は、前輪１１０，１１０と後輪１０６，１０６、前輪１１０，１１０を操舵するハンドル１１１、運転席１１２、エンジン１１３、フロア１１４等を備える。フロア１１４の下側には前後方向にわたって該エンジン１１３の動力を取り出す動力取出軸１１５を設ける。動力取出軸１１５の動力は伝動ベルト１１６を介してモーア１の入力軸１１７に伝動し、該入力軸１１７からモーアデッキ３の左右両側部に設けるブレード軸１１８，１１８に伝動してブレード２，２が縦軸周りで互いに逆回転して芝草の刈取を行う。前記動力取出軸１１５の後部には走行伝動軸１２０を連結し、伝動ケース１２１、油圧式の無段変速装置（ＨＳＴ）１２２を経て前記後輪１０６，１０６を駆動する構成である。
【００１５】
モーアデッキ３の中央後側に集草口８を形成している。集草口８は、左右の後輪１０６，１０６間のダクト７を経て、車体１０２後端部のリヤフレーム１０８に取付けるコレクタ１０９に連通する。
前記車体１０２の後端部のリヤフレーム１０８に、取付ブラケット１２３を介してコレクタ１０９を装着する。この取付ブラケット１２３はコレクタ１０９の回動軸となる水平方向軸芯のコレクタ回動軸１２４を支持する構成である。
【００１６】
コレクタ１０９は、上下前後左右に箱形状に形成するネットフレーム１２６の上下面及び左右面と後面を通風性ネットＮで囲われている。なお、コレクタ１０９の前面は通風性ネットＮで覆わず開放部Ｇを形成し、前記リヤフレーム１０８の後面に対応させている。そして、開放部Ｇは、リヤフレーム１０８に接続させたダクト１０７の終端のダクト開口部と連通する構成としている。
【００１７】
前記モーア１のブレード２，２の回転で芝を刈り取ると共に、送風を発生させ、刈り取った芝草をダクト７内を通過して終端のダクト開口部、及びコレクタ１０９の開放部Ｇからコレクタ１０９内に排出して収容する。そして、芝草を搬送した送風は通風性ネットＮから排風させる。
【００１８】
コレクタ１０９の左右一側の前部にコレクタ１０９の回動操作をする回動操作レバー１３０を設ける。該回動操作レバー１３０は、コレクタ１０９が刈り取られた芝草を受け入れ収容する作業位置にあるときは縦長姿勢となって、回動プレート（図示せず）に形成する上下一対のレバー支持体（図示せず）に形成する貫通穴に支持され、回動操作レバー１３０を長手方向にスライド自在に構成している。そして、作業者が回動操作レバー１３０を操作するときには回動操作レバー１３０の上部を把持して前方に回動操作する。
【００１９】
ミッドモーア１は、図１２の斜視図に示すように、芝刈用の左右２つの回転ブレード２，２と、これら回転ブレード２，２を覆うとともに、刈取片を中央に集めた上で、後方に延びるシュータに案内するリヤディスチャージ用のモアデッキ３とから構成される。このモアデッキ３には、部分断面を含む平面図を図１に示すように、左右の回転ブレード２，２の回転域に刈取片を落下堆積させるマルチング仕様に転用するためのアタッチメント部材４を装着可能に構成する。
【００２０】
上記２つの回転ブレード２，２は、幅広い刈取り範囲について全幅を一様に刈取るために、同一平面内の相互干渉範囲で対向回転可能に９０度の位相差で配置する。モアデッキ３は、回転ブレード２，２の回転域の上方を画成する天井部分をなすシーリング部５と、同回転域の外周を画成する周壁部６とをその下面外周のフランジ６ａとともに一体に形成し、それぞれの回転域からシーリング部５を越えて刈取片を合流位置まで案内する左右の導入ガイド体７，７と、その合流位置から周壁部６の背面位置に高位開口する送出口８まで刈取片を案内するリヤディスチャージ用の送出ガイド体９とをシーリング部５から徐々に立ち上がるようにして連通形成する。
【００２１】
なお、モアデッキ３はプレス加工によって成形するが、２段階にプレス加工されるもので、第１段階で略楕円形状に略沿う絞り形成し、次いで第２段階で左右回転ブレード２，２に沿う８字状に深絞り形成される。このため、前記フランジ６ａ部のステージ３Ａ、第１段階プレス時のステージ３Ｂ、第２段階プレス時の天井部ステージ３Ｃに形成される。前記第２段階プレス時にて天井部ステージ３Ｃを形成するときには前記シーリング部５，導入ガイド体７及び送出ガイド体９を成形する。
【００２２】
また、モアデッキ３の前側であって、左右円弧状交差部３Ｄをフランジ部まで垂下形成すべく左右一対の彎曲板３Ｅ，３Ｅを当てて溶接によって一体的に形成している。そしてこの彎曲板３Ｅ，３Ｅの左右接合部には左右巾方向に適宜幅に亘り、且つ下半部に切欠解放部３Ｆを形成する。さらに前記第１段階プレス時のステージ３Ｂのうち前側には略三角形状切欠３Ｇを形成する。３Ｈ，３Ｈは彎曲板３Ｅ，３Ｅの補強板である。従って、植生する芝草類はフランジ部６ａ、ステージ３Ｂによって深く倒伏されるが、これら三角形状切欠３Ｇ及び切欠解放部３Ｇを通じてモアデッキ３内に入るため、芝草類は深く倒伏されることがなくなって回転ブレード２，２が空を切ることが無く刈り残しが生じない。
【００２３】
アタッチメント部材４は、図２のモアデッキの天地逆転による分解斜視図、および図３の平面図（ａ）と側面図（ｂ）に示すように、両回転ブレード２，２の回転域の上方をシーリング部５と共通高さに画成するフラットシーリング板１１と、送出口８側を画成する送出口周壁板１２、及び前記デッキ前側周壁部１５の円弧状交差部３Ｄの切欠解放部３Ｇを画成する前側周壁板１５とから構成する。
【００２４】
フラットシーリング板１１は、左右の導入ガイド体７および送出ガイド体９を塞ぐようにそれぞれと対応する形状に形成する。また、モアデッキ３との接続のために、シーリング部５に対する左右の接続部１３，１３および、周壁部６に対する後側接続部１４、階段状に形成した前側接続部１５ａを設ける。特に後側接続部１４は、下方の突出を抑えるボルトによる共締具１６により周壁部６のフランジ６ａに着脱可能に接続固定する。更に、前側周壁板１５を左右連通状態で接続する側面視階段型の前側接続部１５ａのうち、上側平面部を前記ステージ３Ｂに下側から重合させて両者を締め付け固定する構成となっている。
前記アタッチメント部材４の取付、取り外しはモアデッキ３を裏返して行なう。
【００２５】
上記構成のモアデッキ３は、左右の導入ガイド体７，７とこれに続く送出ガイド体９とにより、左右２つの回転ブレード２，２が刈取った刈取片を各回転域からシーリング部５を越えて合流位置まで案内し、次いで、送出ガイド体９が周壁部６の背面位置に高位開口する送出口８まで案内することから、リヤディスチャージ仕様の芝刈装置を構成することができ、その一方、アタッチメント部材４を取付けることにより、すなわち、左右の接続部１３，１３をシーリング部５に、後側接続部１４と前側接続部１５を周壁部６に固定することにより、フラットシーリング板１１がモアデッキ３の左右の導入ガイド体７、送出ガイド体９を塞ぎ、また、送出口周壁板１２が送出口８側を塞ぐことから、左右の回転ブレード２，２の回転域に刈取片をそのまま落下堆積させることができ、リヤディスチャージ仕様のモアデッキ３をマルチング仕様に転用することができる。
【００２６】
この場合において、モアデッキ３は、マルチング仕様に転用するためのアタッチメント部材４により、左右の導入ガイド体７，７とこれに続く送出ガイド体９の範囲が、シーリング部５と共通高さのフラットシーリング板１１によって平坦に画成されることから、刈取片の部分的な集積を回避でき、刈取片の集中落下を招くことなく、刈り残しの無い芝刈りの全幅について刈取片を均一堆積させることができるマルチングモアとして機能する。なお本実施例では、モアデッキ３の左右円弧状交差部３Ｄ部の切欠解放部３Ｅにも前側周壁板１５を当てて塞ぐ構成であるから、前側方への刈取片の飛散を防止できる。
【００２７】
したがって、上記モアデッキの構成により、高性能リヤディスチャージ仕様のモアデッキが、その芝刈り性能を確保しつつマルチング仕様に転用できることから、フラットシーリング板と送出口周壁板とによる簡易なアタッチメント部材により、仕様別の大型部材の生産に必要な大きな在庫コストを圧縮しつつ、両仕様に対応することができる。このようなモアデッキの構成は、上記ミッドモア用に限らず、フロントモア用についても、芝刈装置として共通に適用可能である。
【００２８】
また、左右の回転ブレード２，２については、右側回転ブレードの平面図（ａ）、側面図（ｂ）および、平面図におけるＳ１−Ｓ１線断面図（ｃ）を図４に示すように、回転前縁には芝刈り用の片刃２１を形成し、その後縁には刈取片を跳ね上げる傾斜部２２を形成し、また、片刃２１の内周位置に押さえ用の傾斜部２３を設けた専用回転ブレードを回転方向に対応して構成し、左右についてそれぞれ専用ブレードに交換することにより、薄型構成のリヤディスチャージ用モアデッキを用いてマルチング仕様の高性能芝刈装置として構成することができる。
【００２９】
（伝動系）
図５に示す芝刈装置の伝動系はモアへの入力がモアデッキの前側に位置するフロントＰＴＯ構成であり、モアデッキの後側に配置する図１のリヤＰＴＯ伝動系とは異なる構成について示している。図５に示すように、フロントＰＴＯからセンター入力を受ける構成において、片側の回転ブレード２に回転動力を伝達するギヤケース３１を送出ガイド体９の上方に高く張出すように片持支持し、このギヤケース３１にセンター配置の入力軸３２を設けてセンター入力を受けるとともに、その入力軸３２から他側の回転ブレード２に回転動力を伝達するために、ギヤ伝動のプーリ軸３３によるタイミングベルト機構３４を構成する。
【００３０】
このように芝刈装置の伝動系を構成することにより、定位相差回転の近接配置の左右の回転ブレード２，２による全幅刈取りおよび送出ガイド体９による高位排出が確保できることから、リヤディスチャージの排出性能を維持しつつ、伝動系の単純化が実現できるとともに、フロントＰＴＯの伝動軸線の折れ角を小さくできるので、センター配置の入力軸３２に連結するユニバーサルジョイントの騒音の低減および耐久性の向上を図ることができる。また、別の伝動構成として、片方の回転ブレード軸にその正面から伝動を受けるために中央から変位伝動する部材を要する側部伝動構成のもの（例えば特開２００８−２９２８７号公報）と比較すると、上記構成では伝動部材数が少なく低コストで構成できる。
【００３１】
（排出ダクト）
次に、芝刈装置から連通する排出ダクトについては、その排出流線が平面視で機体の片側方に向くように構成したものにおいて、排出ダクト４１の機体中央寄りとなる内側壁４２（図例は左側壁）に、図６の側面図に示すように、空気取入口とメンテナンス口を兼用する開口４３を形成するとともに、開口量調節可能な蓋４４を設ける。
【００３２】
一般に、排出ダクト４１の流線が平面視で片側方に向くように構成したものは、機体外側寄りとなる外側壁に沿って刈取片が誘導送出されることから、機体中央寄りの内側壁４２に空気取入口としての開口４３を形成することによって搬送能力を向上することができ、また、刈取片がダクト内に詰まった際に、開口４３から刈取片を簡易に除去することができるので、モア作業の効率化を図ることができる。
【００３３】
（コレクタ）
次に、排出ダクトに続くコレクタについては、図７の内部透視表示による分解斜視図および図８の装着状態の内部透視表示による斜視図に示すように、コレクタ５１の底板５２を開閉可能に軸支し、取手５３と支点越えバネ式の保持機構５４とにより開放保持可能に構成する。符号「５５」はガイド板である。
【００３４】
上記のように構成することにより、コンテナ５１を後方に展開上昇した際に、図９の動作側面図に示すように、コンテナ下方のスペースの地上高Ｈを大きく確保することにより、コンテナの下方から排出ダクト４１のチェックおよび詰まった刈取片の除去等のメンテナンス作業が容易となる。
【００３５】
また、別の構成例を図１０の内部透視表示による分解斜視図に示すように、コンテナの展開用フレーム側からガイド板５５を張出し、その張出し寸法Ａの範囲でコレクタ５１の底板５６に切欠きＢを形成して下部合わせ面の位置を後方に移動することにより、前記同様に、コンテナ５１を後方に展開上昇した際の地上高Ｈを大きく確保することができる。
【符号の説明】
【００３６】
１      芝刈装置
２      回転ブレード
３      モアデッキ
４      アタッチメント部材
５      シーリング部
６      周壁部
７      導入ガイド体
８      送出口
９      送出ガイド体
１１    フラットシーリング板
１２    送出口周壁板
１３    接続部
１４    後接続部
１５    前側周壁板
１６    共締具
【図１】
2010252741.tif 000003
【図２】
2010252741.tif 000004
【図３】
2010252741.tif 000005
【図４】
2010252741.tif 000006
【図５】
2010252741.tif 000007
【図６】
2010252741.tif 000008
【図７】
2010252741.tif 000009
【図８】
2010252741.tif 000010
【図９】
2010252741.tif 000011
【図１０】
2010252741.tif 000012
【図１１】
2010252741.tif 000013
【図１２】
2010252741.tif 000014